(57)【要約】【課題】  人体の健康に関する尿検査結果などの個人情報を放尿時に確実かつ正確に伝送することができ、個人情報の漏洩も防止することができる尿検査システムおよび方法と尿検査プログラムを記録した記録媒体を提供する。【解決手段】  尿検査結果１４を出力する尿検査装置１０と、第１のトランシーバ２と、被検体５の放尿中の尿１１と接触し、被検体５に誘起された電界と尿１１を介して結合するための第１の結合電極６と、第１の結合電極６と尿を介しての電界の結合が可能に配置された第２の結合電極７と、第１の結合電極６に接続した第２のトランシーバ８と、第２の結合電極７に接続され、第２のトランシーバ８が第１のトランシーバ２へ尿検査結果１４を送信するタイミングの指示となる接続信号１２を、尿１１および第１の結合電極６を介して第２のトランシーバへ８送信するためのタイミング信号発信装置を備える。【選択図】      図１
2005152037.tif 000002
【特許請求の範囲】
【請求項１】
被検体に誘起される電界を利用して該被検体の尿の尿検査結果をトランシーバを介して携帯情報端末へ送信し記憶する尿検査システムであって、
前記被検体の前記尿を検査して得られた前記尿検査結果を出力する尿検査装置と、
前記被検体に装着されて前記電界を利用して通信するための第１のトランシーバと、
前記被検体の放尿中の前記尿と接触する位置に配置され、該被検体に誘起された前記電界と前記尿を介して結合するための第１の結合電極と、
前記第１の結合電極と前記尿を介しての電界の結合が可能な位置に配置された第２の結合電極と、
前記第１の結合電極に接続されて前記尿検査結果を前記尿を介して前記第１のトランシーバへ送信するための第２のトランシーバと、
前記第２の結合電極に接続され、前記第２のトランシーバが前記第１のトランシーバへ前記尿検査結果を送信するタイミングの指示となる接続信号を、前記尿および前記第１の結合電極を介して前記第２のトランシーバへ送信するためのタイミング信号発信装置と、を有し、
前記被検体が携帯する前記携帯情報端末へ前記尿検査装置から出力された前記尿検査結果が前記接続信号によるタイミングに基づいて前記被検体の放尿中の前記尿を介して送信され、前記携帯情報端末に記憶することを特徴とする尿検査システム。
【請求項２】
被検体に誘起される電界を利用して該被検体の尿の尿検査結果をトランシーバを介して携帯情報端末へ送信し記憶する尿検査システムであって、
前記被検体の前記尿を検査して得られた前記尿検査結果を出力する尿検査装置と、
前記被検体に装着されて前記電界を利用して通信するための第１のトランシーバと、
前記被検体の放尿中の前記尿と接触し、前記尿を介して互いの電界が結合可能な位置に配置された第１および第２の結合電極と、
前記被検体と接触する位置に配置され、該被検体に誘起された前記電界と結合するための第３の結合電極と、
前記第３の結合電極に接続され、前記尿検査装置から出力された前記尿検査結果を前記被検体を介して前記第１のトランシーバへ送信するための第２のトランシーバと、
前記第２の結合電極に接続され、前記第２のトランシーバが前記第１のトランシーバへ前記尿検査結果を送信するタイミングを指示するための接続信号を、前記第１および第２の結合電極と前記尿とを介して前記第２のトランシーバへ送信するためのタイミング信号発信装置と、を有し、
前記被検体が携帯する前記携帯情報端末へ前記尿検査装置から出力された前記尿検査結果が前記接続信号によるタイミングに基づいて前記第３の結合電極を介して送信され、前記携帯情報端末に記憶することを特徴とする尿検査システム。
【請求項３】
被検体に誘起される電界を利用して該被検体の尿の尿検査結果をトランシーバを介して携帯情報端末へ送信し記憶する尿検査システムであって、
前記被検体の前記尿を検査して得られた前記尿検査結果を出力する尿検査装置と、
前記被検体に装着されて前記電界を利用して通信するための第１のトランシーバと、
前記被検体の放尿中の前記尿と接触して前記尿を介して互いの電界が結合可能な位置に配置された第１および第２の結合電極と、
前記第１の結合電極と前記第２の結合電極とが接続され、前記第１の結合電極と前記第２の結合電極とが前記尿を介して前記結合したことを受けて、前記第１の結合電極および放尿中の前記尿を介して前記尿検査結果を前記第１のトランシーバへ送信する第２のトランシーバと、を有し、
前記第１の結合電極と前記第２の結合電極とが前記尿を介して前記結合したことを受けて、前記第２のトランシーバが前記第１の結合電極および放尿中の前記尿を介して前記尿検査結果を送信し前記携帯情報端末に記憶することを特徴とする尿検査システム。
【請求項４】
被検体に誘起される電界を利用して該被検体の尿の尿検査結果をトランシーバを介して携帯情報端末へ送信し記憶する尿検査システムであって、
前記被検体の前記尿を検査して得られた前記尿検査結果を出力する尿検査装置と、
前記被検体に装着されて前記電界を利用して通信するための第１のトランシーバと、
前記被検体の放尿中の前記尿と接触して前記尿を介して互いの電界が結合可能な位置に配置された第１および第２の結合電極と、
前記被検体と接触する位置に配置され、該被検体に誘起された前記電界と結合するための第３の結合電極と、
前記第１の結合電極と前記第２の結合電極とが接続され、前記第１の結合電極と前記第２の結合電極とが前記尿を介して前記結合したことを受けて、前記第３の結合電極および前記被検体を介して前記尿検査結果を前記第１のトランシーバへ送信する第２のトランシーバと、を有し、
前記第１の結合電極と前記第２の結合電極とが前記尿を介して前記結合したことを受けて、前記第２のトランシーバが前記第３の結合電極および前記被検体を介して前記尿検査結果を送信し前記携帯情報端末に記憶することを特徴とする尿検査システム。
【請求項５】
前記第１のトランシーバは前記電界を介した受信のみが可能なレシーバであることを特徴とする請求項３または４のいずれか一方に記載の尿検査システム。
【請求項６】
前記第１の結合電極は、放尿中の前記尿を集めて受けるための拡張した開口部と、集めた前記尿を排出するための窄まった排出部とからなる略漏斗状の形状であり、
前記第２の結合電極は、前記排出部から排出中の前記尿と接触して該尿を介して前記第１の結合電極との導通を確保する位置に配置されていることを特徴とする請求項１〜５のいずれかに記載の尿検査システム。
【請求項７】
被検体に誘起される電界を利用して該被検体の尿の尿検査結果をトランシーバを介して携帯情報端末へ送信し記憶する尿検査方法であって、
前記被検体の前記尿を検査して得られた前記尿検査結果を出力する尿検査装置により前記尿検査結果を出力し、
前記電界を利用して通信するための第１のトランシーバが前記被検体に装着されており、
前記被検体の放尿中の前記尿と接触する位置に配置された第１の結合電極により、該被検体に誘起された前記電界と前記尿を介して結合し、
前記第１の結合電極と前記尿を介しての電界の結合が可能な位置に配置された第２の結合電極により、前記第１の結合電極と結合し、
前記第１の結合電極に接続された第２のトランシーバにより、前記尿検査結果を前記尿を介して前記第１のトランシーバへ送信し、
前記第２の結合電極に接続されたタイミング信号発信装置により、前記第２のトランシーバが前記第１のトランシーバへ前記尿検査結果を送信するタイミングの指示となる接続信号を、前記尿および前記第１の結合電極を介して前記第２のトランシーバへ送信し、
前記被検体が携帯する前記携帯情報端末へ前記尿検査装置から出力された前記尿検査結果を前記接続信号によるタイミングに基づいて前記被検体の放尿中の前記尿を介して送信することにより、前記携帯情報端末に前記尿検査結果を記憶することを特徴とする尿検査方法。
【請求項８】
被検体に誘起される電界を利用して該被検体の尿の尿検査結果をトランシーバを介して携帯情報端末へ送信し記憶する尿検査方法であって、
前記被検体の前記尿を検査して得られた前記尿検査結果を出力する尿検査装置により前記尿検査結果を出力し、
前記電界を利用して通信するための第１のトランシーバが前記被検体に装着されており、
前記尿を介して互いの電界が結合可能な位置に配置された第１および第２の結合電極により、前記被検体の放尿中の前記尿と接触し、
前記被検体と接触する位置に配置された第３の結合電極により、該被検体に誘起された前記電界と結合し、
前記第３の結合電極に接続された第２のトランシーバにより、前記尿検査装置から出力された前記尿検査結果を前記被検体を介して前記第１のトランシーバへ送信し、
前記第２の結合電極に接続されたタイミング信号発信装置により、前記第２のトランシーバが前記第１のトランシーバへ前記尿検査結果を送信するタイミングを指示するための接続信号を、前記第１および第２の結合電極と前記尿とを介して前記第２のトランシーバへ送信し、
前記被検体が携帯する前記携帯情報端末へ前記尿検査装置から出力された前記尿検査結果を前記接続信号によるタイミングに基づいて前記第３の結合電極を介して送信することにより、前記携帯情報端末に前記尿検査結果を記憶することを特徴とする尿検査方法。
【請求項９】
被検体に誘起される電界を利用して該被検体の尿の尿検査結果をトランシーバを介して携帯情報端末へ送信し記憶する尿検査方法であって、
前記被検体の前記尿を検査して得られた前記尿検査結果を出力する尿検査装置により前記尿検査結果を出力し、
前記電界を利用して通信するための第１のトランシーバが前記被検体に装着されており、
前記尿を介して互いの電界が結合可能な位置に配置された第１および第２の結合電極により、前記被検体の放尿中の前記尿と接触し、
前記第１の結合電極と前記第２の結合電極とが接続された第２のトランシーバにより、前記第１の結合電極と前記第２の結合電極とが前記尿を介して前記結合したことを受けて、前記第１の結合電極および放尿中の前記尿を介して前記尿検査結果を前記第１のトランシーバへ送信し、
前記第２のトランシーバが前記第１の結合電極および放尿中の前記尿を介して前記尿検査結果を送信することにより、前記携帯情報端末に前記尿検査結果を記憶することを特徴とする尿検査方法。
【請求項１０】
被検体に誘起される電界を利用して該被検体の尿の尿検査結果をトランシーバを介して携帯情報端末へ送信し記憶する尿検査方法であって、
前記被検体の前記尿を検査して得られた前記尿検査結果を出力する尿検査装置により前記尿検査結果を出力し、
前記電界を利用して通信するための第１のトランシーバが前記被検体に装着されており、
前記尿を介して互いの電界が結合可能な位置に配置された第１および第２の結合電極により、前記被検体の放尿中の前記尿と接触し、
前記被検体と接触する位置に配置された第３の結合電極により、該被検体に誘起された前記電界と結合し、
前記第１の結合電極と前記第２の結合電極とが接続された第２のトランシーバにより、前記第１の結合電極と前記第２の結合電極とが前記尿を介して前記結合したことを受けて、前記第３の結合電極および前記被検体を介して前記尿検査結果を前記第１のトランシーバへ送信し、
前記第２のトランシーバが前記第３の結合電極および前記被検体を介して前記尿検査結果を送信することにより、前記携帯情報端末に前記尿検査結果を記憶することを特徴とする尿検査方法。
【請求項１１】
前記第１のトランシーバは前記電界を介した受信のみが可能なレシーバであることを特徴とする請求項９または１０のいずれか一方に記載の尿検査方法。
【請求項１２】
前記第１の結合電極は、前記放尿中の前記尿を集めて受けるための拡張した開口部と、集めた前記尿を排出するための窄まった排出部とからなる略漏斗状の形状であり、
前記第２の結合電極は、前記排出部から排出中の前記尿と接触して該尿を介して前記第１の結合電極との導通を確保する位置に配置されていることを特徴とする請求項７〜１１のいずれかに記載の尿検査方法。
【請求項１３】
被検体に誘起される電界を利用して該被検体の尿の尿検査結果をトランシーバを介して携帯情報端末へ送信し記憶する尿検査プログラムを記録した記録媒体であって、
前記被検体の前記尿を検査して得られた前記尿検査結果を出力する尿検査装置により前記尿検査結果を出力し、
前記電界を利用して通信するための第１のトランシーバが前記被検体に装着されており、
前記被検体の放尿中の前記尿と接触する位置に配置された第１の結合電極により、該被検体に誘起された前記電界と前記尿を介して結合し、
前記第１の結合電極と前記尿を介しての電界の結合が可能な位置に配置された第２の結合電極により、前記第１の結合電極と結合し、
前記第１の結合電極に接続された第２のトランシーバにより、前記尿検査結果を前記尿を介して前記第１のトランシーバへ送信し、
前記第２の結合電極に接続されたタイミング信号発信装置により、前記第２のトランシーバが前記第１のトランシーバへ前記尿検査結果を送信するタイミングの指示となる接続信号を、前記尿および前記第１の結合電極を介して前記第２のトランシーバへ送信し、
前記被検体が携帯する前記携帯情報端末へ前記尿検査装置から出力された前記尿検査結果を前記接続信号によるタイミングに基づいて前記被検体の放尿中の前記尿を介して送信することにより、前記携帯情報端末に前記尿検査結果を記憶することを特徴とする尿検査プログラムを記録した記録媒体。
【請求項１４】
被検体に誘起される電界を利用して該被検体の尿の尿検査結果をトランシーバを介して携帯情報端末へ送信し記憶する尿検査プログラムを記録した記録媒体であって、
前記被検体の前記尿を検査して得られた前記尿検査結果を出力する尿検査装置により前記尿検査結果を出力し、
前記電界を利用して通信するための第１のトランシーバが前記被検体に装着されており、
前記尿を介して互いの電界が結合可能な位置に配置された第１および第２の結合電極により、前記被検体の放尿中の前記尿と接触し、
前記被検体と接触する位置に配置された第３の結合電極により、該被検体に誘起された前記電界と結合し、
前記第３の結合電極に接続された第２のトランシーバにより、前記尿検査装置から出力された前記尿検査結果を前記被検体を介して前記第１のトランシーバへ送信し、
前記第２の結合電極に接続されたタイミング信号発信装置により、前記第２のトランシーバが前記第１のトランシーバへ前記尿検査結果を送信するタイミングを指示するための接続信号を、前記第１および第２の結合電極と前記尿とを介して前記第２のトランシーバへ送信し、
前記被検体が携帯する前記携帯情報端末へ前記尿検査装置から出力された前記尿検査結果を前記接続信号によるタイミングに基づいて前記第３の結合電極を介して送信することにより、前記携帯情報端末に前記尿検査結果を記憶することを特徴とする尿検査プログラムを記録した記録媒体。
【請求項１５】
被検体に誘起される電界を利用して該被検体の尿の尿検査結果をトランシーバを介して携帯情報端末へ送信し記憶する尿検査プログラムを記録した記録媒体であって、
前記被検体の前記尿を検査して得られた前記尿検査結果を出力する尿検査装置により前記尿検査結果を出力し、
前記電界を利用して通信するための第１のトランシーバが前記被検体に装着されており、
前記尿を介して互いの電界が結合可能な位置に配置された第１および第２の結合電極により、前記被検体の放尿中の前記尿と接触し、
前記第１の結合電極と前記第２の結合電極とが接続された第２のトランシーバにより、前記第１の結合電極と前記第２の結合電極とが前記尿を介して前記結合したことを受けて、前記第１の結合電極および放尿中の前記尿を介して前記尿検査結果を前記第１のトランシーバへ送信し、
前記第２のトランシーバが前記第１の結合電極および放尿中の前記尿を介して前記尿検査結果を送信することにより、前記携帯情報端末に前記尿検査結果を記憶することを特徴とする尿検査プログラムを記録した記録媒体。
【請求項１６】
被検体に誘起される電界を利用して該被検体の尿の尿検査結果をトランシーバを介して携帯情報端末へ送信し記憶する尿検査プログラムを記録した記録媒体であって、
前記被検体の前記尿を検査して得られた前記尿検査結果を出力する尿検査装置により前記尿検査結果を出力し、
前記電界を利用して通信するための第１のトランシーバが前記被検体に装着されており、
前記尿を介して互いの電界が結合可能な位置に配置された第１および第２の結合電極により、前記被検体の放尿中の前記尿と接触し、
前記被検体と接触する位置に配置された第３の結合電極により、該被検体に誘起された前記電界と結合し、
前記第１の結合電極と前記第２の結合電極とが接続された第２のトランシーバにより、前記第１の結合電極と前記第２の結合電極とが前記尿を介して前記結合したことを受けて、前記第３の結合電極および前記被検体を介して前記尿検査結果を前記第１のトランシーバへ送信し、
前記第２のトランシーバが前記第３の結合電極および前記被検体を介して前記尿検査結果を送信することにより、前記携帯情報端末に前記尿検査結果を記憶することを特徴とする尿検査プログラムを記録した記録媒体。
【請求項１７】
前記第１のトランシーバは前記電界を介した受信のみが可能なレシーバであることを特徴とする請求項１３または１４のいずれか一方に記載の尿検査プログラムを記録した記録媒体。
【請求項１８】
前記第１の結合電極は、前記放尿中の前記尿を集めて受けるための拡張した開口部と、集めた前記尿を排出するための窄まった排出部とからなる略漏斗状の形状であり、
前記第２の結合電極は、前記排出部から排出中の前記尿と接触して該尿を介して前記第１の結合電極との導通を確保する位置に配置されていることを特徴とする請求項１３〜１７のいずれかに記載の尿検査プログラムを記録した記録媒体。
【請求項１９】
尿検査結果をトランシーバを介して外部へ送信可能な尿検査システムであって、
前記尿を検査して得られた前記尿検査結果を出力する尿検査装置と、
前記尿と接触する位置に配置され、この尿に誘起された電界と結合するための第１の結合電極と、
前記第１の結合電極と前記尿を介しての電界の結合が可能な位置に配置された第２の結合電極と、
前記第１の結合電極に接続されて前記尿検査結果を前記尿を介して外部へ送信するための前記トランシーバと、
前記第２の結合電極に接続され、前記トランシーバが外部へ前記尿検査結果を送信するタイミングの指示となる接続信号を、前記尿および前記第１の結合電極を介して前記トランシーバへ送信するためのタイミング信号発信装置と、を有し、
前記尿検査装置から出力された前記尿検査結果が前記接続信号によるタイミングに基づいて前記尿を介して外部へ送信可能なことを特徴とする尿検査システム。
【請求項２０】
尿検査結果をトランシーバを介して外部へ送信可能な尿検査システムであって、
前記尿を検査して得られた前記尿検査結果を出力する尿検査装置と、
前記尿と接触し、前記尿を介して互いの電界が結合可能な位置に配置された第１および第２の結合電極と、
外部の電界と結合するための第３の結合電極と、
前記第３の結合電極に接続され、前記尿検査装置から出力された前記尿検査結果を外部へ送信するための前記トランシーバと、
前記第２の結合電極に接続され、前記トランシーバが外部へ前記尿検査結果を送信するタイミングを指示するための接続信号を、前記第１および第２の結合電極と前記尿とを介して前記トランシーバへ送信するためのタイミング信号発信装置と、を有し、
外部へ前記尿検査装置から出力された前記尿検査結果が前記接続信号によるタイミングに基づいて前記第３の結合電極を介して外部へ送信可能なことを特徴とする尿検査システム。
【請求項２１】
尿の尿検査結果をトランシーバを介して外部へ送信可能な尿検査システムであって、
前記尿を検査して得られた前記尿検査結果を出力する尿検査装置と、
前記尿と接触して前記尿を介して互いの電界が結合可能な位置に配置された第１および第２の結合電極と、
前記第１の結合電極と前記第２の結合電極とが接続され、前記第１の結合電極と前記第２の結合電極とが前記尿を介して前記結合したことを受けて、前記第１の結合電極を介して前記尿検査結果を外部へ送信する前記トランシーバと、を有し、
前記第１の結合電極と前記第２の結合電極とが前記尿を介して前記結合したことを受けて、前記トランシーバが前記第１の結合電極および前記尿を介して前記尿検査結果を外部へ送信可能なことを特徴とする尿検査システム。
【請求項２２】
尿検査結果をトランシーバを介して外部へ送信可能な尿検査システムであって、
前記尿を検査して得られた前記尿検査結果を出力する尿検査装置と、
前記尿と接触して前記尿を介して互いの電界が結合可能な位置に配置された第１および第２の結合電極と、
外部の電界と結合するための第３の結合電極と、
前記第１の結合電極と前記第２の結合電極とが接続され、前記第１の結合電極と前記第２の結合電極とが前記尿を介して前記結合したことを受けて、前記第３の結合電極を介して前記尿検査結果を外部へ送信する前記トランシーバと、を有し、
前記第１の結合電極と前記第２の結合電極とが前記尿を介して前記結合したことを受けて、前記トランシーバが前記第３の結合電極を介して前記尿検査結果を外部へ送信可能なことを特徴とする尿検査システム。
【請求項２３】
前記第１の結合電極は、前記尿を集めて受けるための拡張した開口部と、集めた前記尿を排出するための窄まった排出部とからなる略漏斗状の形状であり、
前記第２の結合電極は、前記排出部から排出中の前記尿と接触して該尿を介して前記第１の結合電極との導通を確保する位置に配置されていることを特徴とする請求項１９〜２２のいずれかに記載の尿検査システム。
【発明の詳細な説明】
【技術分野】
【０００１】
本発明は、尿検査システムに関し、特に、送信すべき情報に基づく電界を電界伝達媒体に誘起させるとともに電界伝達媒体に誘起された電界を検出して情報の送受信を行うトランシーバを用いて、尿検査結果を被検体へ伝送する尿検査システムおよび方法と尿検査プログラムを記録した記録媒体に関する。
【背景技術】
【０００２】
携帯端末の小型化および高性能化によりウェアラブルコンピュータが注目されているが、図１０はこのようなウェアラブルコンピュータ２７を人間に装着して使用する場合の例を示している。同図に示すように、ウェアラブルコンピュータ２７はそれぞれトランシーバ２９を介して人間の腕、肩、胴体などに装着されて互いにデータの送受信を行うとともに、更に手足の先端で触れられるよう壁や床面３０に設けられたトランシーバ２９ａ、２９ｂとケーブル３１とを介して外部に設けられたコンピュータ２８と通信を行うようになっている。
【０００３】
そして、このようなウェアラブルコンピュータ２７間、およびウェアラブルコンピュータ２７とコンピュータ２８とのデータ通信に使用されるトランシーバ２９は、レーザ光と電気光学結晶を用いた電気光学的手法による信号検出技術を利用していて、送信すべき情報に基づく電界を電界伝達媒体である生体に誘起させ、この誘起した電界を用いて情報の送受信を行っている。
【０００４】
人体やその他の電界伝達媒体に誘起される電界の強度は極めて微弱なため、通常のトランジスタなどを用いた信号検出回路用いると、トランジスタの特性により入力インピーダンスが数Ｍオーム〜数十Ｍオーム程度しか確保できない。この程度の入力インピーダンスでは、誘起された電界の強度に比較してインピーダンスが低すぎるので、電界の信号値を十分に得ることができず、またトランジスタの特性により様々なノイズ成分などの影響を受けてしまい、正確な電界検出が難しい。そこで、こうした様々なノイズの影響を最小限度に抑え、極めて微弱な電界を検出するために、入力インピーダンスがトランジスタに比較して数倍〜数十倍の値で確保できる電気光学的手法による信号検出手段を用いている。
【０００５】
ところで、近年、こうしたウェアラブルコンピュータを応用した、健康に関する個人情報を容易に伝送する信号伝送システムが知られている。こうした信号伝送システムにおいては、人体に装着したウェアラブルコンピュータに記憶されている健康に関する情報を外部に伝送するために、人の放尿時に便器を介して信号伝送を行う、というものである。
【０００６】
人体側から伝送される信号は、血圧、脈拍、体温、発汗量、歩数等を健康に関するデータとして、人体から放尿されている途中の連続した尿を介し、便器に配置された電極と接触して伝送経路を形成し、情報の伝送を行っている（例えば参考文献１）。便器に配置された電極は、伝送された健康に関する情報を情報処理するための情報処理装置などに接続されている。さらに、情報処理装置にて情報処理された情報は、その結果を必要に応じてウェアラブルコンピュータへ伝送することも行われる。この伝送は、便器に配置された電極から放尿中の連続した尿を介して、人体へとつながる伝送経路を介して行われる。
【特許文献１】特開２００２−２５９５６９公報
【発明の開示】
【発明が解決しようとする課題】
【０００７】
しかしながら、上述した健康に関する個人情報の伝送の仕組みにおいては、人体から尿が放尿されている途中であるか否かを検出する方法が無く、人体から電極を介して情報処理装置へ情報を送り出し、あるいは情報処理装置から人体へ情報を送り出すタイミングを合わせるのが難しかった。
【０００８】
また、情報の伝送最中において放尿が途切れると、伝送すべき情報も途中で途切れてしまい、情報を正確に伝えることが難しかった。
【０００９】
また、電極の形状によって放尿中の尿が拡散してしまい、放尿中であるにもかかわらず尿が連続して纏まらないので、人体から尿を介して電極へ情報を伝送することが難しかった。
【００１０】
また、情報処理装置から人体へ情報を伝送している途中で、人が入れ替わるなどすると、目的とする人以外の他人へ個人情報を誤って伝送してしまう可能性がある、という問題もあった。
【００１１】
本発明は、上記の事情を鑑みたものであり、人体の健康に関する尿検査結果などの個人情報を放尿時に確実かつ正確に伝送することができ、個人情報の漏洩も防止することができる尿検査システムおよび方法と尿検査プログラムを記録した記録媒体を提供することを目的とする。
【課題を解決するための手段】
【００１２】
上記目的を達成するため、請求項１に記載の本発明は、被検体に誘起される電界を利用して該被検体の尿の尿検査結果をトランシーバを介して携帯情報端末へ送信し記憶する尿検査システムであって、前記被検体の前記尿を検査して得られた前記尿検査結果を出力する尿検査装置と、前記被検体に装着されて前記電界を利用して通信するための第１のトランシーバと、前記被検体の放尿中の前記尿と接触する位置に配置され、該被検体に誘起された前記電界と前記尿を介して結合するための第１の結合電極と、前記第１の結合電極と前記尿を介しての電界の結合が可能な位置に配置された第２の結合電極と、前記第１の結合電極に接続されて前記尿検査結果を前記尿を介して前記第１のトランシーバへ送信するための第２のトランシーバと、前記第２の結合電極に接続され、前記第２のトランシーバが前記第１のトランシーバへ前記尿検査結果を送信するタイミングの指示となる接続信号を、前記尿および前記第１の結合電極を介して前記第２のトランシーバへ送信するためのタイミング信号発信装置と、を有し、前記被検体が携帯する前記携帯情報端末へ前記尿検査装置から出力された前記尿検査結果が前記接続信号によるタイミングに基づいて前記被検体の放尿中の前記尿を介して送信され、前記携帯情報端末に記憶する。
【００１３】
また、請求項２に記載の本発明は、被検体に誘起される電界を利用して該被検体の尿の尿検査結果をトランシーバを介して携帯情報端末へ送信し記憶する尿検査システムであって、前記被検体の前記尿を検査して得られた前記尿検査結果を出力する尿検査装置と、前記被検体に装着されて前記電界を利用して通信するための第１のトランシーバと、前記被検体の放尿中の前記尿と接触し、前記尿を介して互いの電界が結合可能な位置に配置された第１および第２の結合電極と、前記被検体と接触する位置に配置され、該被検体に誘起された前記電界と結合するための第３の結合電極と、前記第３の結合電極に接続され、前記尿検査装置から出力された前記尿検査結果を前記被検体を介して前記第１のトランシーバへ送信するための第２のトランシーバと、前記第２の結合電極に接続され、前記第２のトランシーバが前記第１のトランシーバへ前記尿検査結果を送信するタイミングを指示するための接続信号を、前記第１および第２の結合電極と前記尿とを介して前記第２のトランシーバへ送信するためのタイミング信号発信装置と、を有し、前記被検体が携帯する前記携帯情報端末へ前記尿検査装置から出力された前記尿検査結果が前記接続信号によるタイミングに基づいて前記第３の結合電極を介して送信され、前記携帯情報端末に記憶する。
【００１４】
また、請求項３に記載の本発明は、被検体に誘起される電界を利用して該被検体の尿の尿検査結果をトランシーバを介して携帯情報端末へ送信し記憶する尿検査システムであって、前記被検体の前記尿を検査して得られた前記尿検査結果を出力する尿検査装置と、前記被検体に装着されて前記電界を利用して通信するための第１のトランシーバと、前記被検体の放尿中の前記尿と接触して前記尿を介して互いの電界が結合可能な位置に配置された第１および第２の結合電極と、前記第１の結合電極と前記第２の結合電極とが接続され、前記第１の結合電極と前記第２の結合電極とが前記尿を介して前記結合したことを受けて、前記第１の結合電極および放尿中の前記尿を介して前記尿検査結果を前記第１のトランシーバへ送信する第２のトランシーバと、を有し、前記第１の結合電極と前記第２の結合電極とが前記尿を介して前記結合したことを受けて、前記第２のトランシーバが前記第１の結合電極および放尿中の前記尿を介して前記尿検査結果を送信し前記携帯情報端末に記憶する。
【００１５】
また、請求項４に記載の本発明は、被検体に誘起される電界を利用して該被検体の尿の尿検査結果をトランシーバを介して携帯情報端末へ送信し記憶する尿検査システムであって、前記被検体の前記尿を検査して得られた前記尿検査結果を出力する尿検査装置と、前記被検体に装着されて前記電界を利用して通信するための第１のトランシーバと、前記被検体の放尿中の前記尿と接触して前記尿を介して互いの電界が結合可能な位置に配置された第１および第２の結合電極と、前記被検体と接触する位置に配置され、該被検体に誘起された前記電界と結合するための第３の結合電極と、前記第１の結合電極と前記第２の結合電極とが接続され、前記第１の結合電極と前記第２の結合電極とが前記尿を介して前記結合したことを受けて、前記第３の結合電極および前記被検体を介して前記尿検査結果を前記第１のトランシーバへ送信する第２のトランシーバと、を有し、前記第１の結合電極と前記第２の結合電極とが前記尿を介して前記結合したことを受けて、前記第２のトランシーバが前記第３の結合電極および前記被検体を介して前記尿検査結果を送信し前記携帯情報端末に記憶する。
【００１６】
また、請求項５に記載の本発明は、請求項３または４のいずれか一方に記載の本発明に加えて、前記第１のトランシーバは前記電界を介した受信のみが可能なレシーバであることとする。
【００１７】
また、請求項６に記載の本発明は、請求項１〜５のいずれかに記載の本発明に加えて、前記第１の結合電極は、放尿中の前記尿を集めて受けるための拡張した開口部と、集めた前記尿を排出するための窄まった排出部とからなる略漏斗状の形状であり、前記第２の結合電極は、前記排出部から排出中の前記尿と接触して該尿を介して前記第１の結合電極との導通を確保する位置に配置されていることとする。
【００１８】
また、請求項７に記載の本発明は、被検体に誘起される電界を利用して該被検体の尿の尿検査結果をトランシーバを介して携帯情報端末へ送信し記憶する尿検査方法であって、前記被検体の前記尿を検査して得られた前記尿検査結果を出力する尿検査装置により前記尿検査結果を出力し、前記電界を利用して通信するための第１のトランシーバが前記被検体に装着されており、前記被検体の放尿中の前記尿と接触する位置に配置された第１の結合電極により、該被検体に誘起された前記電界と前記尿を介して結合し、前記第１の結合電極と前記尿を介しての電界の結合が可能な位置に配置された第２の結合電極により、前記第１の結合電極と結合し、前記第１の結合電極に接続された第２のトランシーバにより、前記尿検査結果を前記尿を介して前記第１のトランシーバへ送信し、前記第２の結合電極に接続されたタイミング信号発信装置により、前記第２のトランシーバが前記第１のトランシーバへ前記尿検査結果を送信するタイミングの指示となる接続信号を、前記尿および前記第１の結合電極を介して前記第２のトランシーバへ送信し、前記被検体が携帯する前記携帯情報端末へ前記尿検査装置から出力された前記尿検査結果を前記接続信号によるタイミングに基づいて前記被検体の放尿中の前記尿を介して送信することにより、前記携帯情報端末に前記尿検査結果を記憶する。
【００１９】
また、請求項８に記載の本発明は、被検体に誘起される電界を利用して該被検体の尿の尿検査結果をトランシーバを介して携帯情報端末へ送信し記憶する尿検査方法であって、前記被検体の前記尿を検査して得られた前記尿検査結果を出力する尿検査装置により前記尿検査結果を出力し、前記電界を利用して通信するための第１のトランシーバが前記被検体に装着されており、前記尿を介して互いの電界が結合可能な位置に配置された第１および第２の結合電極により、前記被検体の放尿中の前記尿と接触し、前記被検体と接触する位置に配置された第３の結合電極により、該被検体に誘起された前記電界と結合し、前記第３の結合電極に接続された第２のトランシーバにより、前記尿検査装置から出力された前記尿検査結果を前記被検体を介して前記第１のトランシーバへ送信し、前記第２の結合電極に接続されたタイミング信号発信装置により、前記第２のトランシーバが前記第１のトランシーバへ前記尿検査結果を送信するタイミングを指示するための接続信号を、前記第１および第２の結合電極と前記尿とを介して前記第２のトランシーバへ送信し、前記被検体が携帯する前記携帯情報端末へ前記尿検査装置から出力された前記尿検査結果を前記接続信号によるタイミングに基づいて前記第３の結合電極を介して送信することにより、前記携帯情報端末に前記尿検査結果を記憶する。
【００２０】
また、請求項９に記載の本発明は、被検体に誘起される電界を利用して該被検体の尿の尿検査結果をトランシーバを介して携帯情報端末へ送信し記憶する尿検査方法であって、前記被検体の前記尿を検査して得られた前記尿検査結果を出力する尿検査装置により前記尿検査結果を出力し、前記電界を利用して通信するための第１のトランシーバが前記被検体に装着されており、前記尿を介して互いの電界が結合可能な位置に配置された第１および第２の結合電極により、前記被検体の放尿中の前記尿と接触し、前記第１の結合電極と前記第２の結合電極とが接続された第２のトランシーバにより、前記第１の結合電極と前記第２の結合電極とが前記尿を介して前記結合したことを受けて、前記第１の結合電極および放尿中の前記尿を介して前記尿検査結果を前記第１のトランシーバへ送信し、前記第２のトランシーバが前記第１の結合電極および放尿中の前記尿を介して前記尿検査結果を送信することにより、前記携帯情報端末に前記尿検査結果を記憶する。
【００２１】
また、請求項１０に記載の本発明は、被検体に誘起される電界を利用して該被検体の尿の尿検査結果をトランシーバを介して携帯情報端末へ送信し記憶する尿検査方法であって、前記被検体の前記尿を検査して得られた前記尿検査結果を出力する尿検査装置により前記尿検査結果を出力し、前記電界を利用して通信するための第１のトランシーバが前記被検体に装着されており、前記尿を介して互いの電界が結合可能な位置に配置された第１および第２の結合電極により、前記被検体の放尿中の前記尿と接触し、前記被検体と接触する位置に配置された第３の結合電極により、該被検体に誘起された前記電界と結合し、前記第１の結合電極と前記第２の結合電極とが接続された第２のトランシーバにより、前記第１の結合電極と前記第２の結合電極とが前記尿を介して前記結合したことを受けて、前記第３の結合電極および前記被検体を介して前記尿検査結果を前記第１のトランシーバへ送信し、前記第２のトランシーバが前記第３の結合電極および前記被検体を介して前記尿検査結果を送信することにより、前記携帯情報端末に前記尿検査結果を記憶する。
【００２２】
また、請求項１１に記載の本発明は、請求項９または１０のいずれか一方に記載の本発明に加えて、前記第１のトランシーバは前記電界を介した受信のみが可能なレシーバであることとする。
【００２３】
また、請求項１２に記載の本発明は、請求項７〜１１のいずれかに記載の本発明に加えて、前記第１の結合電極は、前記放尿中の前記尿を集めて受けるための拡張した開口部と、集めた前記尿を排出するための窄まった排出部とからなる略漏斗状の形状であり、前記第２の結合電極は、前記排出部から排出中の前記尿と接触して該尿を介して前記第１の結合電極との導通を確保する位置に配置されている。
【００２４】
また、請求項１３に記載の本発明は、被検体に誘起される電界を利用して該被検体の尿の尿検査結果をトランシーバを介して携帯情報端末へ送信し記憶する尿検査プログラムを記録した記録媒体であって、前記被検体の前記尿を検査して得られた前記尿検査結果を出力する尿検査装置により前記尿検査結果を出力し、前記電界を利用して通信するための第１のトランシーバが前記被検体に装着されており、前記被検体の放尿中の前記尿と接触する位置に配置された第１の結合電極により、該被検体に誘起された前記電界と前記尿を介して結合し、前記第１の結合電極と前記尿を介しての電界の結合が可能な位置に配置された第２の結合電極により、前記第１の結合電極と結合し、前記第１の結合電極に接続された第２のトランシーバにより、前記尿検査結果を前記尿を介して前記第１のトランシーバへ送信し、前記第２の結合電極に接続されたタイミング信号発信装置により、前記第２のトランシーバが前記第１のトランシーバへ前記尿検査結果を送信するタイミングの指示となる接続信号を、前記尿および前記第１の結合電極を介して前記第２のトランシーバへ送信し、前記被検体が携帯する前記携帯情報端末へ前記尿検査装置から出力された前記尿検査結果を前記接続信号によるタイミングに基づいて前記被検体の放尿中の前記尿を介して送信することにより、前記携帯情報端末に前記尿検査結果を記憶することを特徴とする尿検査プログラムを記録する。
【００２５】
また、請求項１４に記載の本発明は、被検体に誘起される電界を利用して該被検体の尿の尿検査結果をトランシーバを介して携帯情報端末へ送信し記憶する尿検査プログラムを記録した記録媒体であって、前記被検体の前記尿を検査して得られた前記尿検査結果を出力する尿検査装置により前記尿検査結果を出力し、前記電界を利用して通信するための第１のトランシーバが前記被検体に装着されており、前記尿を介して互いの電界が結合可能な位置に配置された第１および第２の結合電極により、前記被検体の放尿中の前記尿と接触し、前記被検体と接触する位置に配置された第３の結合電極により、該被検体に誘起された前記電界と結合し、前記第３の結合電極に接続された第２のトランシーバにより、前記尿検査装置から出力された前記尿検査結果を前記被検体を介して前記第１のトランシーバへ送信し、前記第２の結合電極に接続されたタイミング信号発信装置により、前記第２のトランシーバが前記第１のトランシーバへ前記尿検査結果を送信するタイミングを指示するための接続信号を、前記第１および第２の結合電極と前記尿とを介して前記第２のトランシーバへ送信し、前記被検体が携帯する前記携帯情報端末へ前記尿検査装置から出力された前記尿検査結果を前記接続信号によるタイミングに基づいて前記第３の結合電極を介して送信することにより、前記携帯情報端末に前記尿検査結果を記憶することを特徴とする尿検査プログラムを記録する。
【００２６】
また、請求項１５に記載の本発明は、被検体に誘起される電界を利用して該被検体の尿の尿検査結果をトランシーバを介して携帯情報端末へ送信し記憶する尿検査プログラムを記録した記録媒体であって、前記被検体の前記尿を検査して得られた前記尿検査結果を出力する尿検査装置により前記尿検査結果を出力し、前記電界を利用して通信するための第１のトランシーバが前記被検体に装着されており、前記尿を介して互いの電界が結合可能な位置に配置された第１および第２の結合電極により、前記被検体の放尿中の前記尿と接触し、前記第１の結合電極と前記第２の結合電極とが接続された第２のトランシーバにより、前記第１の結合電極と前記第２の結合電極とが前記尿を介して前記結合したことを受けて、前記第１の結合電極および放尿中の前記尿を介して前記尿検査結果を前記第１のトランシーバへ送信し、前記第２のトランシーバが前記第１の結合電極および放尿中の前記尿を介して前記尿検査結果を送信することにより、前記携帯情報端末に前記尿検査結果を記憶することを特徴とする尿検査プログラムを記録する。
【００２７】
また、請求項１６に記載の本発明は、被検体に誘起される電界を利用して該被検体の尿の尿検査結果をトランシーバを介して携帯情報端末へ送信し記憶する尿検査プログラムを記録した記録媒体であって、前記被検体の前記尿を検査して得られた前記尿検査結果を出力する尿検査装置により前記尿検査結果を出力し、前記電界を利用して通信するための第１のトランシーバが前記被検体に装着されており、前記尿を介して互いの電界が結合可能な位置に配置された第１および第２の結合電極により、前記被検体の放尿中の前記尿と接触し、前記被検体と接触する位置に配置された第３の結合電極により、該被検体に誘起された前記電界と結合し、前記第１の結合電極と前記第２の結合電極とが接続された第２のトランシーバにより、前記第１の結合電極と前記第２の結合電極とが前記尿を介して前記結合したことを受けて、前記第３の結合電極および前記被検体を介して前記尿検査結果を前記第１のトランシーバへ送信し、前記第２のトランシーバが前記第３の結合電極および前記被検体を介して前記尿検査結果を送信することにより、前記携帯情報端末に前記尿検査結果を記憶することを特徴とする尿検査プログラムを記録する。
【００２８】
また、請求項１７に記載の本発明は、請求項１３または１４のいずれか一方に記載の本発明に加えて、前記第１のトランシーバは前記電界を介した受信のみが可能なレシーバであることを特徴とする尿検査プログラムを記録する。
【００２９】
また、請求項１８に記載の本発明は、請求項１３〜１７のいずれかに記載の本発明に加えて、前記第１の結合電極は、前記放尿中の前記尿を集めて受けるための拡張した開口部と、集めた前記尿を排出するための窄まった排出部とからなる略漏斗状の形状であり、前記第２の結合電極は、前記排出部から排出中の前記尿と接触して該尿を介して前記第１の結合電極との導通を確保する位置に配置されていることを特徴とする尿検査プログラムを記録する。
【００３０】
また、請求項１９に記載の本発明は、尿検査結果をトランシーバを介して外部へ送信可能な尿検査システムであって、前記尿を検査して得られた前記尿検査結果を出力する尿検査装置と、前記尿と接触する位置に配置され、この尿に誘起された電界と結合するための第１の結合電極と、前記第１の結合電極と前記尿を介しての電界の結合が可能な位置に配置された第２の結合電極と、前記第１の結合電極に接続されて前記尿検査結果を前記尿を介して外部へ送信するための前記トランシーバと、前記第２の結合電極に接続され、前記トランシーバが外部へ前記尿検査結果を送信するタイミングの指示となる接続信号を、前記尿および前記第１の結合電極を介して前記トランシーバへ送信するためのタイミング信号発信装置と、を有し、前記尿検査装置から出力された前記尿検査結果が前記接続信号によるタイミングに基づいて前記尿を介して外部へ送信可能とする。
【００３１】
また、請求項２０に記載の本発明は、尿検査結果をトランシーバを介して外部へ送信可能な尿検査システムであって、前記尿を検査して得られた前記尿検査結果を出力する尿検査装置と、前記尿と接触し、前記尿を介して互いの電界が結合可能な位置に配置された第１および第２の結合電極と、外部の電界と結合するための第３の結合電極と、前記第３の結合電極に接続され、前記尿検査装置から出力された前記尿検査結果を外部へ送信するための前記トランシーバと、前記第２の結合電極に接続され、前記トランシーバが外部へ前記尿検査結果を送信するタイミングを指示するための接続信号を、前記第１および第２の結合電極と前記尿とを介して前記トランシーバへ送信するためのタイミング信号発信装置と、を有し、外部へ前記尿検査装置から出力された前記尿検査結果が前記接続信号によるタイミングに基づいて前記第３の結合電極を介して外部へ送信可能とする。
【００３２】
また、請求項２１に記載の本発明は、尿の尿検査結果をトランシーバを介して外部へ送信可能な尿検査システムであって、前記尿を検査して得られた前記尿検査結果を出力する尿検査装置と、前記尿と接触して前記尿を介して互いの電界が結合可能な位置に配置された第１および第２の結合電極と、前記第１の結合電極と前記第２の結合電極とが接続され、前記第１の結合電極と前記第２の結合電極とが前記尿を介して前記結合したことを受けて、前記第１の結合電極を介して前記尿検査結果を外部へ送信する前記トランシーバと、を有し、前記第１の結合電極と前記第２の結合電極とが前記尿を介して前記結合したことを受けて、前記トランシーバが前記第１の結合電極および前記尿を介して前記尿検査結果を外部へ送信可能とする。
【００３３】
また、請求項２２に記載の本発明は、尿検査結果をトランシーバを介して外部へ送信可能な尿検査システムであって、前記尿を検査して得られた前記尿検査結果を出力する尿検査装置と、前記尿と接触して前記尿を介して互いの電界が結合可能な位置に配置された第１および第２の結合電極と、外部の電界と結合するための第３の結合電極と、前記第１の結合電極と前記第２の結合電極とが接続され、前記第１の結合電極と前記第２の結合電極とが前記尿を介して前記結合したことを受けて、前記第３の結合電極を介して前記尿検査結果を外部へ送信する前記トランシーバと、を有し、前記第１の結合電極と前記第２の結合電極とが前記尿を介して前記結合したことを受けて、前記トランシーバが前記第３の結合電極を介して前記尿検査結果を外部へ送信可能とする。
【００３４】
また、請求項２３に記載の本発明は、請求項１９〜２２のいずれかに記載の本発明に加えて、前記第１の結合電極は、前記尿を集めて受けるための拡張した開口部と、集めた前記尿を排出するための窄まった排出部とからなる略漏斗状の形状であり、前記第２の結合電極は、前記排出部から排出中の前記尿と接触して該尿を介して前記第１の結合電極との導通を確保する位置に配置されている。
【発明の効果】
【００３５】
本発明の尿検査システムおよび方法と尿検査プログラムを記録した記録媒体によれば、被検者が放尿している最中であるか否かを検出することができ、被検者と電極を介して尿検査装置との間で伝送経路を形成することができるので、放尿中のタイミングに合わせて、被検者の尿を介して尿検査結果をウェアラブルコンピュータへ伝送することができる。
【００３６】
また、放尿中の尿を漏斗状の電極で受けるので、尿が拡散することなく、まとめて集めることができ、被検者と放尿中の尿を介した伝送経路を形成することができる。
【００３７】
また、被検者が放尿中にのみ尿検査結果を被検者のウェアラブルコンピュータへ伝送することができるので、尿検査結果などの個人情報が漏洩することを防止することができる。
【発明を実施するための最良の形態】
【００３８】
図１に示すのは、本発明の第１の実施の形態に係る尿検査システム１の概略構成図であって、本発明の尿検査方法および尿検査プログラムを記録した記録媒体を実施するのに好適な構成である。尿検査システム１は、被検者５が排泄する尿１１を受けるための第１の結合電極６と、この第１の結合電極６から流れ出た尿１１に接触する第２の結合電極７と、第２の結合電極７に接続された接続信号発生装置９と、この接続信号発生装置９から発信される接続信号１２を受信するために第１の結合電極６に接続された第２のトランシーバ８と、を備え、さらに、尿１１を検査するための尿検査装置１０と、この尿検査装置１０に接続されて用いられる尿分析プローブ１５とを備えている。
【００３９】
尿検査を実施する対象となる被検者５は、自身の体に送受信電極４を介して第１のトランシーバ２を装着している。この第１のトランシーバ２は、ウェアラブルコンピュータ３と接続されている。ウェアラブルコンピュータ３は、図示しない情報処理手段、情報記憶手段、情報入出力手段、電源、などを有している。こうした構成により、ウェアラブルコンピュータ３に、所望する情報を外部から入力して、記憶することができる。あるいは、ウェアラブルコンピュータ３に記憶された情報を外部へ出力することもできる。こうした情報処理動作は、予めインストールされた制御プログラムにより実行される。
【００４０】
この第１の実施の形態による尿検査システム１で尿検査を行い、その尿検査結果をウェアラブルコンピュータ３に入力して記憶させるには、まず被検者５が第１の結合電極６へ尿検査のために排尿を行う。第１の結合電極６は、例えば便器に設置しても良い。排尿中の尿１１は連続しており、排尿中において被検者５の身体と第１の結合電極６とを接続している。この接続とは、被検者５の身体から尿１１を介して、第１の結合電極６まで連続して繋がっている状態を指している。
【００４１】
第１の結合電極６に排尿された尿１１は第２の結合電極７に到達する。ここで、図３および図４を参照し、第１の結合電極６と第２の結合電極７について説明する。図３(a)および図３(b)に示すように、第１の結合電極６は拡張された開口部２３と、窄まった排出部２４とを有して略漏斗状の形状を形成している。
【００４２】
第１の結合電極６は好ましくは金属材料を用いて製作され、例えば導電性を示すステンレス鋼や銅などを用いることができる。こういった金属材料を用いる場合は、金属が腐食しないように表面に保護膜を形成しても良い。保護膜としては、非導電性の樹脂材料などを用いることができる。
【００４３】
排出部２４から連続して排出された尿１１は、図４(a)および図４(b)に示す第２の結合電極７に到達する。排出部２４からの尿は連続しているので、第１の結合電極６と第２の結合電極７とは、連続した尿１１でもって導通される。第２の結合電極７は、略円盤状を成しており、図４(a)は断面図、図４(b)は正面図を示している。第２の結合電極７は第１の結合電極と同様に、好ましくは金属材料で製作されるのが良い。例えば導電性を示すステンレス鋼や銅などを用いることができる。表面の腐食防止として、表面に保護膜を形成してもよく、これらの保護膜は非導電性の樹脂材料などを用いることができる。
【００４４】
こうして、第１の結合電極６と第２の結合電極７とが連続する尿１１で導通されることにより、第２の結合電極７に接続されている接続信号発生装置９からの接続信号１２が、連続する尿１１と第１の結合電極６とを介して第２のトランシーバ８へ送信（伝送）される。なお、この接続信号発生装置９から送信される接続信号１２は、被検者５が排尿中であって、尿１１が連続して第１の結合電極６へ到達していることを検知するために用いられる。
【００４５】
接続信号発生装置９からは、第２のトランシーバ８が第１のトランシーバ２へ尿検査結果を伝送する接続のタイミングを与えるための接続信号１２を定期的に出力している。この接続信号発生装置９は、所定の信号（例えば、矩形波などの単純な信号）を定期的（例えば、0.1秒ごと）に発信する、図示しない信号発生器を備えている。第２の結合電極７と第１の結合電極６との間が連続する尿１１により接続されることによって、第２のトランシーバ８までの伝送経路が確立されるので、この伝送経路を介して第２のトランシーバ８へ定期的に出力されている接続信号１２が伝達される。
【００４６】
接続信号１２を受信した第２のトランシーバ８は、被検者５が排尿中であり、尿１１が第１の結合電極６まで連続している状態であることを尿検査装置１０へ接続信号１２を送信して知らせる。尿検査装置１０では、この接続信号１３を受けて、尿１１の尿検査結果１４を電気信号に変換して第１の結合電極６へ送る。第１の結合電極６に与えられた尿検査結果１４の情報は、連続する尿１１を介して被検者５に伝送され、被検者５が装着している送受信電極４に接続された第１のトランシーバ２にて受信される。第１のトランシーバ２にて受信された尿検査結果１４は、第１のトランシーバ２に接続されているウェアラブルコンピュータ３に入力されて、記憶される。
【００４７】
なお、尿検査結果１４は、尿分析プローブ１５から出力された信号を尿検査装置１０が受信して、演算により生成する。尿検査の内容としては、例えば尿中のグルコース成分の濃度を判定する方法がある。尿中のグルコースの濃度を電気的に測定することにより糖尿病の検査を行うことができる。
【００４８】
尿分析プローブ１５にて、被検者５の排尿した尿１１を取り込み、この尿１１に対して酵素試薬としてのグルコースオキターゼを混合する。グルコースオキターゼと尿１１とが混合された際に、尿１１中にグルコースが含有されると、グルコースの酸化反応が進行する。この酸化反応は、尿１１中のグルコース濃度が高いほど急速に進行し、この反応に伴って反応液中の酸素が消費される。そこで、この反応中の酸素濃度の変化を電圧を負荷した一対の電極間に流れる電流の検出値の変化から検知し、グルコース濃度を検知することができる。
【００４９】
尿中のグルコース濃度が高い程、グルコースオキターゼと尿１１との混合後の特定期間において酸素電極の電流値が急速に低下する。従って、電流値の特定期間における平均変化率を、予め標準液を用いた試験による電流値の平均変化率と比較することにより、尿１１中のグルコース濃度を演算により求めることができる。
【００５０】
こうした演算は、尿検査装置１０にて実行される。尿分析プローブ１５からは、電流値をそのまま出力してもよく、あるいは電流値の変化率を求めて、これを検出値として尿分析装置１０へ送って演算処理しても良い。
【００５１】
図２に示すのは、本発明に係る第１の実施の形態による、第１のトランシーバ２の構成を説明するためのブロック図である。第１のトランシーバ２は、被検者５の身体に接触して装着されており、被検者５との接触は送受信電極４にて行われている。この送受信電極４は、被検者５と接触する表面に絶縁膜１６が設けられている。この絶縁膜１６は導電性を示す必要は無く、送受信電極４の表面が腐食することを防止するためのものであり、あるいは被検者５に接触する際に良好な接触性を得るためである。また、第１のトランシーバ２には、先に説明したウェアラブルコンピュータ３が接続されている。
【００５２】
ウェアラブルコンピュータ３からデータを送信する場合は、この送信データをＩ／Ｏ（入出力）回路１８を介して受け取ると、この送信データを送信部１７を介して送受信電極４に供給し、該送受信電極４および絶縁膜１６を介して電界伝達媒体（本第１の実施の形態においては、被検者５、尿１１）に電界を誘起させ、この電界を電界伝達媒体の他の部位に伝達させるようになっている。
【００５３】
また、電界伝達媒体に誘起されて伝達されてくる電界を絶縁膜１６を介して送受信電極４で検出し、この電界を電界検出光学部２２に結合して電気信号に変換するようになっている。そして、この電気信号は、信号処理回路２１で増幅、雑音除去などの信号処理を施され、更に波形整形回路１９で波形整形されてから、Ｉ／Ｏ回路１８を介してウェアラブルコンピュータ３に出力されるようになっている。
【００５４】
この図２に示した第１のトランシーバ２の構成は、図１にて示した第２のトランシーバ８にも同様の構成が備わっている。第２のトランシーバ８においては、送受信電極４に代えて第１の結合電極６が接続されており、ウェアラブルコンピュータ３に代えて尿検査装置１０が接続されている。さらに、接続信号発生装置９にも図示しないトランシーバが備わり、このトランシーバには第２の結合電極７が接続されている。
【００５５】
以上説明したように、本発明の第１の実施の形態に係る尿検査システムは、送信すべき情報に基づく電界を電界伝達媒体に誘起させるとともに、この誘起した電界を検出して情報の送受信を行うトランシーバを利用するものであって、尿検査結果１４を被検者５へ伝送する尿検査システムであることに特徴がある。
【００５６】
すなわち、被検者５の尿１１を検査して尿検査結果１４を出力する尿検査装置１０と、被検者５に装着され、第１のトランシーバ２を介して入力された尿検査結果１４を記憶するウェアラブルコンピュータ３と、被検者５の放尿中の連続する尿１１に接触して相互に導通する位置に配置された第１の結合電極６および第２の結合電極７と、第１の結合電極６に接続されて、尿検査装置１０から出力された尿検査結果１４を放尿中の連続する尿１１を介し、被検者５が装着している第１のトランシーバ２へ伝送するための第２のトランシーバ８と、第２の結合電極７に接続されて、第２のトランシーバ８が第１のトランシーバ２へ尿検査結果１４を伝送するタイミングとなる接続信号１２を放尿中の連続する尿１１を介して第２のトランシーバ８へ伝送するための接続信号発信装置９と、を備えている。
【００５７】
こうした構成により、ウェアラブルコンピュータ３と尿検査装置１０との間を、すくなくとも第１のトランシーバ２と、被検者５と、放尿中の連続する尿１１と、第１の結合電極６と、第２のトランシーバ８とを介して導通し、接続信号１２によるタイミングでもって、放尿中の連続する尿１１を介して尿検査結果１４をウェアラブルコンピュータ３へ伝送し記憶することができる。
【００５８】
このため、本発明の尿検査システム１によれば、被検者５が放尿している最中であるか否かを検出することができ、被検者５と第１の結合電極６を介して尿検査装置１０との間で伝送経路を形成することができるので、放尿中のタイミングに合わせて、被検者５の尿１１を介して尿検査結果１４をウェアラブルコンピュータ３へ伝送することができる。
【００５９】
また、放尿中の尿１１を漏斗状の第１の結合電極６で受けるので、尿１１が拡散することなく、まとめて集めることができ、被検者５と放尿中の尿１１を介した伝送経路を形成することができる。
【００６０】
また、被検者５が放尿中にのみ尿検査結果１４を被検者５のウェアラブルコンピュータ３へ伝送することができるので、尿検査結果１４などの個人情報が漏洩することを防止することができる。
【００６１】
図５に示すのは、本発明の尿検査システムに係る第２の実施の形態を説明するための概略構成図である。この第２の実施の形態による尿検査システム１３では、前述の図１に示して説明した第１の実施の形態による尿検査システム１と比べて、尿検査結果１４をウェアラブルコンピュータ３へ伝送する経路において異なっている。その他、尿１１の検査方法などは第１の実施の形態と同様である。
【００６２】
被検者５が排尿して、尿１１が連続して第１の結合電極６と第２の結合電極７へ到達した状態で、接続信号１２が第２のトランシーバ８を介して尿検査装置１０へ到達すると、尿検査装置１０は第３のトランシーバ２５へ尿検査結果１４を送信する。
【００６３】
第３のトランシーバ２５には、第３の結合電極２６が接続されている。この第３の結合電極２６は、被検者５が排尿する際に、被検者５に接触する位置に配置されている。例えば、被検者５が排尿する際に立つ位置の床面に配置してもよく、洋式便器の便座や、手すりなどを第３の結合電極２６として用いても良い。第３の結合電極２６の材質は、他の電極と同様に導電性の金属などで構成されており、好ましくはステンレス鋼や銅などを用いると良い。第３の結合電極２６の表面は、表面の腐食防止などのために、樹脂材料などによる保護膜をコーティングしても良い。
【００６４】
尿検査装置１０から送信された尿検査結果１４は、第３のトランシーバ２５を介して第３の結合電極２６を通り、被検者５を介して送受信電極４に到達し、第１のトランシーバ２にて受信されて、ウェアラブルコンピュータ３に入力されて記憶される。
【００６５】
以上説明したように、本発明の第２の実施の形態に係る尿検査システム１３は、送信すべき情報に基づく電界を電界伝達媒体に誘起させるとともに、この誘起した電界を検出して情報の送受信を行うトランシーバを利用するものであって、尿検査結果１４を被検者５へ伝送する尿検査システムであることに特徴がある。
【００６６】
すなわち、被検者５の尿１１を検査して尿検査結果１４を出力する尿検査装置１０と、被検者５に装着され、第１のトランシーバ２を介して入力された尿検査結果１４を記憶するウェアラブルコンピュータ３と、被検者５の放尿中の連続する尿１１に接触して相互に導通する位置に配置された第１の結合電極６および第２の結合電極７と、被検者５と接触して導通する位置に配置された第３の結合電極２６と、第３の結合電極２６に接続されて、尿検査装置１０から出力された尿検査結果１４を被検者５を介して第１のトランシーバ２へ伝送するための第３のトランシーバ２５と、第２の結合電極７に接続されて、第３のトランシーバ２５が第１のトランシーバ２へ尿検査結果１４を伝送するタイミングとなる接続信号１２を発信する接続信号発信装置９と、第１の結合電極６に接続されて、接続信号発信装置９からの接続信号１２を放尿中の連続する尿１１を介して受信して尿検査装置１０へ伝送する第２のトランシーバ８と、を備えている。
【００６７】
こうした構成により、ウェアラブルコンピュータ３と尿検査装置１０との間を、すくなくとも第１のトランシーバ２、被検者５、第３のトランシーバ２５、第３の結合電極２６を介して導通し、接続信号１２によるタイミングでもって、被検者５を介して尿検査結果１４をウェアラブルコンピュータ３へ伝送し記憶することができる。
【００６８】
図６に示すのは、本発明の尿検査システムに係る第３の実施の形態を説明するための概略構成図である。この第３の実施の形態による尿検査システム３５では、前述の図１に示して説明した第１の実施の形態による尿検査システム１と比べて、被検者５が放尿中であることを検出するために第１の結合電極６と第２の結合電極７が、それぞれ第２のトランシーバ５０に接続されている点に特徴を有している。この第２のトランシーバ５０の構成は、図８に参照されるように、先に説明した本発明の第１のトランシーバ８と同様の構成を備えている。この第２のトランシーバ５０には、送信部１７と、Ｉ／Ｏ回路１８と、波形整形回路１９と、受信部２０と、この受信部２０に含まれる信号処理回路２１と、同じく電界検出光学部２２と、送信用電極４５と、絶縁膜４６と、受信用電極４７と、絶縁膜４８とを備えている。また、コンピュータ４９は、この第２のトランシーバ５０に接続されており、この第２のトランシーバ５０に内蔵されるか、あるいは外部に配置しても良い。
【００６９】
この第２のトランシーバ５０は、既出の第１のトランシーバ８と内部の回路構成は同様であるが、電極の配置について相違点がある。すなわち、第１のトランシーバ８においては、電極は送受信電極４と絶縁膜１６が備わるのみであり、送信と受信が１つの共通の電極で行われている。これに対して、第２のトランシーバ５０は送信用と受信用の２つの電極を備えており、送信用の送信用電極４５と、受信用の受信用電極４７であり、それぞれの電極に絶縁膜４６と絶縁膜４８が組み合わされている。
【００７０】
コンピュータ４９は、第２のトランシーバ５０にて送受信するデータを管理し、必要に応じて出力および記憶を行う。
【００７１】
被検者５が放尿中の尿１１は、第１の結合電極６にてまとめて受止められた後に、第２の結合電極７に到達する。第１の結合電極６と第２の結合電極７とが尿１１で結合されることによって、第２のトランシーバ５０は尿検査結果１４を第１の結合電極６と尿１１とを介して、被検者５が装着している第１のトランシーバ２へ送信する。第２のトランシーバ５０の送信用電極４５は第２の結合電極７に結合されており、受信用電極４７は第１の結合電極６と結合されている。送信用電極４５と受信用電極４７が尿１１を介して結合されることにより、第２のトランシーバ５０は送信用電極４５から尿検査結果１４を送信する。この送信時には、すくなくとも受信部２０は電気的に切り離されており、この切り離しのタイミングは所定の周期で間欠的に行っても良い。
【００７２】
第１のトランシーバ２は、この尿検査結果１４を受信して、ウェアラブルコンピュータ３へ伝送する。第２のトランシーバ５０は、第１の結合電極６と第２の結合電極７とが尿１１によって結合したことを検知して、尿検査結果１４を送信する。尿１１は尿分析プローブ１５と尿分析装置１０とにより、被検者５の放尿中に分析され、この尿１１の尿検査結果１４を得ることができる。
【００７３】
このように、本発明の第３の実施の形態に係る尿検査システム３５は、被検体５に誘起される電界を利用して被検体５の尿１１の尿検査結果１４を第１のトランシーバ２および第２のトランシーバ５０を介してウェアラブルコンピュータ（携帯情報端末）３へ送信し記憶する尿検査システムであって、被検体５の尿１１を検査して得られた尿検査結果１４を出力する尿検査装置１０と、被検体５に装着されて電界を利用して通信するための第１のトランシーバ２と、被検体５の放尿中の尿１１と接触して尿１１を介して互いの電界が結合可能な位置に配置された第１の結合電極６および第２の結合電極７と、第１の結合電極６と第２の結合電極７とが接続され、第１の結合電極６と第２の結合電極とが尿１１を介して結合したことを受けて、第１の結合電極６および放尿中の尿１１を介して尿検査結果１４を前記第１のトランシーバ２へ送信する第２のトランシーバ５０と、を有している。
【００７４】
こうした構成によって、第１の結合電極６と第２の結合電極７とが尿１１を介して結合したことを受けて、第２のトランシーバ５０が第１の結合電極６および放尿中の尿１１を介して尿検査結果１４を送信しウェアラブルコンピュータ３に記憶することができる。
【００７５】
図７に示すのは、本発明の尿検査システムに係る第４の実施の形態を説明するための概略構成図である。この第４の実施の形態による尿検査システム３６では、前述の図６に示して説明した第３の実施の形態による尿検査システム３５と比べて、被検者５へ尿検査結果１４を送るのに第３の結合電極２６が用いられている点に特徴を有している。
【００７６】
被検者５が放尿中の尿１１は、第１の結合電極６にてまとめて受止められた後に、第２の結合電極７に到達する。第１の結合電極６と第２の結合電極７とが尿１１で結合されることによって、第２のトランシーバ５０は尿検査結果１４を第３の結合電極２６を介して、被検者５が装着している第１のトランシーバ２へ送信する。第２のトランシーバ５０の送信用電極４５は第２の結合電極７と第３の結合電極２６とに結合されており、図示しない制御手段によりどちらか一方の電極に切換え自在に構成されている。また、受信用電極４７は第１の結合電極６と結合されている。送信用電極４５と受信用電極４７が尿１１を介して結合されることにより、第２のトランシーバ５０は送信用電極４５から尿検査結果１４を送信する。送信された尿検査結果１４は、送信用電極４５から図示しない切換え手段により選択された第３の結合電極２６を介して送信される。
【００７７】
第１のトランシーバ２は、この尿検査結果１４を受信して、ウェアラブルコンピュータ３へ伝送する。第２のトランシーバ５０は、第１の結合電極６と第２の結合電極７とが尿１１によって結合したことを検知して、尿検査結果１４を送信する。尿１１は尿分析プローブ１５と尿分析装置１０とにより、被検者５の放尿中に分析され、この尿１１の尿検査結果１４を得ることができる。
【００７８】
このように、本発明の第４の実施の形態に係る尿検査システム３６は、被検体５に誘起される電界を利用して被検体５の尿１１の尿検査結果１４を第１のトランシーバ２および第２のトランシーバ５０を介してウェアラブルコンピュータ３へ送信し記憶する尿検査システムであって、被検体５の尿１１を検査して得られた尿検査結果１４を出力する尿検査装置１０と、被検体５に装着されて電界を利用して通信するための第１のトランシーバ２と、被検体５の放尿中の尿１１に接触して尿１１を介して互いの電界が結合可能な位置に配置された第１の結合電極６および第２の結合電極７と、被検体５と接触する位置に配置され、被検体５に誘起された電界と結合するための第３の結合電極２６と、第１の結合電極６と第２の結合電極７とが接続され、第１の結合電極６と第２の結合電極７とが尿１１を介して結合したことを受けて、第３の結合電極２６および被検体５を介して尿検査結果１４を第１のトランシーバ２へ送信する第２のトランシーバ５０と、を有している。
【００７９】
こうした構成によって、第１の結合電極６と第２の結合電極７とが尿１１を介して結合したことを受けて、第２のトランシーバ５０が第３の結合電極２６および被検体５を介して尿検査結果１４を送信しウェアラブルコンピュータ（携帯情報端末）３に記憶することができる。
【００８０】
次に、図９を参照して、本発明の第１乃至４の実施形態に係る尿検査システムについて説明する。図９に示す実施形態の尿検査システムは、例えばベッド５４やトイレの便座４３などのような例えば一人暮らしの老人などの人間（被検体）４１、５０が生活しながら利用する。人間４１、５０の体が密接または近接するこれらの接触部の表面に１個以上の結合電極４４、５２を設け、この電極７に図２に示した第１のトランシーバ２とウェアラブルコンピュータ３を接続し、ウェアラブルコンピュータ３を更にパソコン５５に接続するとともに、図１と同じ構成のウェアラブルコンピュータ３と第１のトランシーバ２との組合せからなる携帯端末４２、５１を人間４１、５０の体に近接または密接するように人間４１、５０に携帯させ、この人間４１、５０がベッド５４に寝たり、便座４３に座った場合に、ベッド５４のパッドや便座４３などの接触部の表面に設けた電極４４を介して携帯端末４２、５１からの信号をトランシーバ付き小型情報端末４５、５３で検知して、パソコン５５に送信し、パソコン５５において人間４１、５０がいつベッド５４に入り、ベッド５４から出たか、今日はトイレに入ったか、何回トイレに入ったかなどのような人間４１、５０の生活状態、健康状態などの状態を尿検査結果１４の情報に加えて送信して監視しようとするものである。
【００８１】
なお、結合電極４４、５２は、上述したベッド５４のベッド用パッド、便座４３以外に、例えば食卓の椅子、座布団、布団、シーツ、便座のカバーなどのような人間４１、５０が接触する種々の接触部の表面に設けられる。
【００８２】
更に、本実施形態の尿検査システムでは、ベッド５４のパッドや便座４３などの接触部の表面に設けられた各結合電極４４、５２は、識別手段により各結合電極４４、５２を識別し得ることが好ましい。このように各結合電極４４、５２を識別し得ることにより、人間４１、５０が今使用している接触部がベッド５４のパッドであるのか、または便座４３であるのかを適確に識別し得るからである。
【００８３】
なお、各人間４１、５０が携帯する携帯端末４２、５１に、トランシーバ識別情報が付与されていることが好ましく、このように各人間４１、５０が携帯する携帯端末４２、５１にトランシーバ識別情報を付与することにより、例えば二人暮らしの頼りなく、生活的におぼつかない老人がいる場合に、どちらを使用したかを識別できる。
【００８４】
図９に示す実施形態の尿検査システムは、上述した構成および各制御方法を用いて、人間４１、５０がベッド５４にいるのか、または便座４３にいるのかを識別し、これにより人間４１、５０がいつベッド５４に入り、ベッド５４から出たか、今日はトイレに入ったか、何回トイレに入ったかなどのような人間４１、５０の生活状態、および尿検査結果１４などの健康状態などの状態を監視し、この監視した人間４１、５０の状態から人間４１、５０が正常であるか否かを判断するようになっている。そして、この判断した結果を必要によりパソコン５５からネットワーク回線６０、インターネット６１を介して管理センタ６４のデータ処理端末６５、病院・警察６２のデータ処理端末６３、介護・セキュリティセンタ６７のデータ処理端末６８や隣人、知人、親戚６９などの携帯電話６６に通知するようになっている。
【００８５】
更に詳しくは、人間４１、５０がベッド５４に入ったか、寝ているか、出たかなどの判定は、パソコン５５がトランシーバ５３およびベッド５４の例えばベッド用パッドの表面に設けられている結合電極５２を介して検知している。この検知は、人間４１、５０の携帯端末４２、５１から人間４１、５０を検知するための検知信号が発せられており、この検知信号により人間５０がベッド５４に居ることを検知できるとともに、これらの検知情報が新たに得られた場合には、人間５０が新たにベッド５４に入った場合である。
【００８６】
また、今まで得られていたこれらの検知電気信号がなくなった場合には、人間５０がベッド５４から出た場合であり、更に２つの結合電極５２からの２つ以上の検知電気信号が得られた場合には、人間５０がベッド５４に寝ている場合であると判定することができる。
【００８７】
また、便座４３の場合には、人間４１が便座４３に座ると、パソコン５５がトランシーバ付き小型情報端末４５、便座４３の表面に設けられている結合電極４４を介し、更に人間４１の携帯端末４２を介して前記検知電気信号により便座４３であることを判定できる。
【００８８】
更に、本実施形態では、携帯端末４２、５１は、図示しない生体センサを備えていて、これによりベッド５４に入る人間５０や便座４３に座った人間４１の生体情報を取得し、パソコン５５で取得し、人間４１、５０の健康状態を更に詳しく調べることができる。そして、この生体センサによる生体情報からの人間４１、５０の健康状態の判断の結果、人間４１、５０に異常が検出された場合には、パソコン５５からネットワーク回線６０、インターネット６１を介して管理センタ６４のデータ処理端末６５、病院・警察６２のデータ処理端末６３、介護・セキュリティセンタ６７のデータ処理端末６８や隣人、知人、親戚などの携帯電話６６などに通知することができる。
【００８９】
なお、生体センサは、携帯端末４２、５１に設けてもよいし、ベッド５４や便座４３に設けた結合電極４４、５２やトランシーバ付き小型情報端末５３に関連して設けてもよいものである。また、生体センサは、ベッド５４や便座４３を人間４１、５０が利用する度に自動的に作動するようにしてもよいし、またはパソコン５５から必要な都度、起動してもよいものである。
【００９０】
以上説明したように、本発明の尿検査システム１３およびそれに適用可能な尿検査方法によれば、被検者５が放尿している最中であるか否かを検出することができ、被検者５と第３の結合電極２６を介して尿検査装置１０との間で伝送経路を形成することができるので、放尿中のタイミングに合わせて、第３の結合電極２６と第３のトランシーバ２５とを介して、尿検査結果１４をウェアラブルコンピュータ３へ伝送することができる。
【００９１】
また、放尿中の尿１１を漏斗状の第１の結合電極６で受けるので、尿１１が拡散することなく、まとめて集めることができ、第１の結合電極６と第２の結合電極７との間を放尿中の尿１１を介した伝送経路を形成することができる。
【００９２】
また、被検者５が放尿中にのみ尿検査結果１４を被検者５のウェアラブルコンピュータ３へ伝送することができるので、尿検査結果１４などの個人情報が漏洩することを防止することができる。
【図面の簡単な説明】
【００９３】
【図１】本発明の第１の実施の形態に係る、尿検査システムの概略構成図を示す。
【図２】本発明の第１の実施の形態に係る、尿検査システムに適用されるトランシーバの構成を説明するための概略ブロック図を示す。
【図３】本発明の第１の実施の形態に係る、尿検査システムに適用される第１の結合電極を説明する図であって、（a）は第１の結合電極の断面図を示し、(b)は第１の結合電極の開口部の正面図を示す。
【図４】本発明の第１の実施の形態に係る、尿検査システムに適用される第２の結合電極を説明する図であって、（a）は第２の結合電極の断面図を示し、(b)は第２の結合電極の正面図を示す。
【図５】本発明の第２の実施の形態に係る、尿検査システムの概略構成図を示す。
【図６】本発明の第３の実施の形態に係る、尿検査システムの概略構成図を示す。
【図７】本発明の第４の実施の形態に係る、尿検査システムの概略構成図を示す。
【図８】本発明の第３および第４の実施の形態に係る、尿検査システムに適用されるトランシーバの構成を説明するための概略ブロック図を示す。
【図９】本発明の第１乃至４の実施の形態に係る、情報通信ネットワークの概略構成図を示す。
【図１０】従来技術によるトランシーバを用いて、ウェアラブルコンピュータを人間に装着してデータ通信を行うシステムの概念図を示す。
【符号の説明】
【００９４】
１、１３、３５、３６  尿検査システム
２  第１のトランシーバ
３、２７  ウェアラブルコンピュータ（携帯情報端末）
４  送受信電極
５  被検者
６  第１の結合電極
７  第２の結合電極
８  第２のトランシーバ
９  接続信号発生装置
１０  尿検査装置
１１  尿
１２  接続信号
１４  尿検査結果
１５  尿分析プローブ
１６  絶縁膜
１７  送信部
１８  Ｉ／Ｏ回路
１９  波形整形回路
２０  受信部
２１  信号処理回路
２２  電界検出光学部
２３  開口部
２４  排出部
２５  第３のトランシーバ
２６  第３の結合電極
２８  コンピュータ
２９、２９a、２９b  トランシーバ
３０  床面
３１  ケーブル
４０  一般家庭
４１  披検者
４２  携帯端末
４５  送信用電極
４６、４８  絶縁膜
４７  受信用電極
４９  コンピュータ
６０  ネットワーク回線
６１  インターネット
【図１】
2005152037.tif 000003
【図２】
2005152037.tif 000004
【図３】
2005152037.tif 000005
【図４】
2005152037.tif 000006
【図５】
2005152037.tif 000007
【図６】
2005152037.tif 000008
【図７】
2005152037.tif 000009
【図８】
2005152037.tif 000010
【図９】
2005152037.tif 000011
【図１０】
2005152037.tif 000012